(57)【要約】【課題】固定向け放送から移動体向け放送へと違和感なく滑らかに切り替えを行う。【解決手段】固定向け放送のＰＥＳｆを蓄積する固定向バッファ４１と、移動体向け放送のＰＥＳｍを蓄積する移動向バッファ４２と、それぞれのバッファに蓄積したＰＥＳを選択するＰＥＳ選択部４３と、選択したＰＥＳから映像データを復元する映像デコーダ５０と、復元した映像データを区分して蓄積するフレームバッファ５１と、フレームバッファ５１に蓄積した映像データを指示に応じて選択する表示データ選択部５３と、ＰＥＳ選択部４３および表示データ選択部５３を少なくとも制御する制御部９０とを備え、制御部９０は、ＰＥＳ選択部４３に対してＰＥＳを切り替えるよう指示した後、表示データ選択部５３に対して一方のＰＥＳに対応した映像データを所定の期間選択した後、他方のＰＥＳに対応した映像データを選択するよう制御する。【選択図】図１
2009005123.tif 000002
【特許請求の範囲】
【請求項１】
１つの物理チャンネル内の２以上のセグメントを用いて送出される固定向け放送と１セグメントのみを用いて送出される移動体向け放送とを含む地上デジタル放送を受信し、受信した前記地上デジタル放送の放送信号から映像データを含むコンテンツデータを復元するテレビジョン放送受信装置であって、
前記物理チャンネルごとの放送信号を受信し、前記固定向け放送におけるトランスポートストリームと前記移動体向け放送におけるトランスポートストリームとを復元する受信部と、
それぞれの前記トランスポートストリームから前記固定向け放送における符号化映像データと前記移動体向け放送における符号化映像データとを分離し、抽出する分離部と、
前記固定向け放送における符号化映像データを一時蓄積する固定向け放送用のバッファと、
前記移動体向け放送における符号化映像データを一時蓄積する移動体向け放送用のバッファと、
前記固定向け放送用のバッファに一時蓄積した符号化映像データと前記移動体向け放送用のバッファに一時蓄積した符号化映像データとを指示に応じて選択する符号化データ選択部と、
前記符号化データ選択部が選択した符号化映像データを復号し、映像データを復元するデコード部と、
前記デコード部が復元した映像データを一時蓄積する出力バッファと、
前記出力バッファに一時蓄積した固定向け放送と移動体向け放送との映像データを指示に応じて選択する表示データ選択部と、
前記符号化データ選択部および前記表示データ選択部を少なくとも制御する制御部とを備え、
前記制御部は、前記符号化データ選択部に対して、固定向け放送と移動体向け放送との選択を切り替えるよう指示し、
前記表示データ選択部に対して、固定向け放送と移動体向け放送との一方の符号化映像データに対応した映像データを所定の期間選択した後、他方の符号化映像データに対応した映像データを選択するよう制御することを特徴とするテレビジョン放送受信装置。
【請求項２】
前記制御部は、前記符号化データ選択部に対して、固定向け放送と移動体向け放送との一方の前記符号化映像データから他方の前記符号化映像データに選択するよう指示した後、前記表示データ選択部に対して、前記一方の符号化映像データに対応した映像データを所定の期間選択した後、前記他方の符号化映像データに対応した映像データを選択するよう制御することを特徴とする請求項１に記載のテレビジョン放送受信装置。
【請求項３】
前記制御部は、前記表示データ選択部に対して、前記一方の符号化映像データに対応した映像データを所定の期間選択するように指示するとともに、前記所定の期間中において前記出力バッファに一時蓄積された前記一方の符号化映像データに対応する映像データがスロー再生されるように前記出力バッファを制御することを特徴とする請求項２に記載のテレビジョン放送受信装置。
【請求項４】
前記制御部は、前記符号化データ選択部に対して、固定向け放送と移動体向け放送との一方の前記符号化映像データから他方の前記符号化映像データに選択するよう指示した後、前記表示データ選択部に対して、前記他方の符号化映像データに対応するはじめに復元できた映像データを所定の期間選択した後、前記他方の符号化映像データに対応した映像データを順次選択するよう制御することを特徴とする請求項１に記載のテレビジョン放送受信装置。
【請求項５】
前記固定向け放送用のバッファは、画面内符号化データであるＩフレームの符号化映像データから順番にグループオブピクチャ分だけ一時蓄積した後消去する動作を、繰り返すように動作することを特徴とする請求項１から４のいずれか１項に記載のテレビジョン放送受信装置。
【請求項６】
前記移動体向け放送用のバッファは、画面内符号化データであるＩＤＲのアクセスユニットから順番に、１シーケンス分だけ一時蓄積した後消去する動作を、繰り返すように動作することを特徴とする請求項１から４のいずれか１項に記載のテレビジョン放送受信装置。
【請求項７】
前記制御部は、
前記符号化データ選択部に対して、前記固定向け放送の符号化映像データから前記移動体向け放送の符号化映像データを選択するよう指示したとき、前記アクセスユニット有効期間中である場合には、
前記符号化データ選択部に対して、前記移動体向け放送用のバッファに一時蓄積されたＩＤＲのアクセスユニットから順番に符号化映像データを取り込み、順次前記デコード部に供給するよう制御し、
前記デコード部に対して、供給されるアクセスユニットのデコード開始時刻が現在の時刻を過ぎている場合には、連続して各アクセスユニットの符号化映像データを復号し、供給されるアクセスユニットのデコード開始時刻が現在の時刻を過ぎていない場合には、現在の時刻がデコード開始時刻となった時点でアクセスユニットの符号化映像データを復号するよう制御し、
前記表示データ選択部に対して、前記出力バッファに一時蓄積された最も新しいフレームの映像データを取り込み順次一時蓄積されるフレームの映像データを取り込んでいくよう制御することを特徴とする請求項６に記載のテレビジョン放送受信装置。
【請求項８】
前記制御部は、
前記符号化データ選択部に対して、前記固定向け放送の符号化映像データから前記移動体向け放送の符号化映像データを選択するよう指示したとき、前記アクセスユニット有効期間中以外である場合には、
前記移動体向け放送用のバッファにＩＤＲのアクセスユニットが一時蓄積され、かつ現在の時刻がその一時蓄積されたＩＤＲのアクセスユニットのデコード開始時刻となるまで、前記表示データ選択部に対して、前記出力バッファに一時蓄積された固定向け放送の映像データを取り込み出力し、その後、前記出力バッファに一時蓄積された移動体向け放送の映像データを取り込み出力するよう制御することを特徴とする請求項７に記載のテレビジョン放送受信装置。
【請求項９】
前記制御部は、
前記固定向け放送および前記移動体向け放送のいずれかの受信状況に応じて、前記符号化データ選択部が前記固定向け放送用のバッファおよび前記移動体向け放送用のバッファのどちらの符号化映像データを選択するかを制御することを特徴とする請求項１から８のいずれか１項に記載のテレビジョン放送受信装置。
【請求項１０】
前記固定向け放送と前記移動体向け放送とは、同一の番組が送出されるサイマル放送であることを特徴とする請求項９に記載のテレビジョン放送受信装置。
【請求項１１】
前記固定向け放送のセグメントは、３セグメント、５セグメント、７セグメントおよび１２セグメントのいずれかであることを特徴とする請求項１０に記載のテレビジョン放送受信装置。
【請求項１２】
１つの物理チャンネル内の２以上のセグメントを用いて送出される固定向け放送と１セグメントのみを用いて送出される移動体向け放送とを含む地上デジタル放送を受信し、受信した前記地上デジタル放送の放送信号から映像データを含むコンテンツデータを復元するテレビジョン放送受信方法であって、
前記物理チャンネルごとの放送信号を受信し、前記固定向け放送におけるトランスポートストリームと前記移動体向け放送におけるトランスポートストリームとを復元するステップと、
それぞれの前記トランスポートストリームから前記固定向け放送における符号化映像データと前記移動体向け放送における符号化映像データとを分離し、抽出するステップと、
前記固定向け放送における符号化映像データを固定向け放送用のバッファに一時蓄積するステップと、
前記移動体向け放送における符号化映像データを移動体向け放送用のバッファに一時蓄積するステップと、
前記固定向け放送用のバッファに一時蓄積した符号化映像データと前記移動体向け放送用のバッファに一時蓄積した符号化映像データとのいずれかを選択するステップと、
前記符号化データ選択部が選択した符号化映像データを復号し、映像データを復元するステップと、
前記デコード部が復元した映像データを出力バッファに一時蓄積するステップと、
前記出力バッファに一時蓄積した固定向け放送と移動体向け放送とのいずれかの映像データを選択するステップとを含み、
前記固定向け放送用のバッファに一時蓄積した符号化映像データと前記移動体向け放送用のバッファに一時蓄積した符号化映像データとのいずれかを選択するステップにおいて、固定向け放送と移動体向け放送との選択を切り替え、
前記出力バッファに一時蓄積した固定向け放送と移動体向け放送とのいずれかの映像データを選択するステップにおいて、固定向け放送と移動体向け放送との一方の符号化映像データに対応した映像データを所定の期間選択した後、他方の符号化映像データに対応した映像データを選択することを特徴とするテレビジョン放送受信方法。
【発明の詳細な説明】
【技術分野】
【０００１】
本発明は、地上デジタル放送を受信するテレビジョン放送受信装置に関し、固定向けデジタル放送と移動体向けデジタル放送との受信が可能なテレビジョン放送受信装置、およびテレビジョン放送受信方法に関する。
【背景技術】
【０００２】
近年、放送の技術分野においても、デジタル化が急速に進められており、テレビジョン放送においては、衛星を利用したデジタル放送に続き地上デジタル放送が既に実施されている。地上デジタル放送は、１チャンネルあたりの帯域をさらに「セグメント」と呼ばれる伝送帯域で分割し、このようなセグメントを組み合わせて放送されることを特徴としている。日本における地上デジタル放送は、ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｉｎｇ  ｆｏｒ  Ｔｅｒｅｓｔｒｉａｌ）方式と呼ばれる規格に基づき、１チャンネルあたり１３個のセグメントで構成されている。また、１３個のセグメントのうち、一般家庭などに固定設置された受信装置に向けての１２セグメントを用いた放送（以下、「固定向け放送」と呼ぶ）と、携帯電話装置や車両に搭載した受信装置など移動体に向けての１セグメントを用いた放送（以下、「移動体向け放送」と呼ぶ）とが実施されている。固定向け放送は、１３セグメント中、例えば１２セグメントのように広い帯域を利用しているため高画質であるが受信強度の悪化による影響を受けやすい。一方、移動体向け放送は、１セグメントのように帯域が狭いため低画質であるものの受信強度の悪化による影響は受けにくいという特徴がある。さらに、地上デジタル放送のこのような特徴を利用して、固定向け放送と移動体向け放送とにより、同一番組を放送するような放送サービス形態が一般化している。このような同一番組を放送する放送サービスは、一般的にサイマル放送と呼ばれている。
【０００３】
このような特徴を有した地上デジタル放送を受信する１つの形態として、例えば車載用を目的とした受信装置において、良好な受信状態である場合には高画質の固定向け放送を受信し、受信状態が悪化した場合には劣化耐性に優れた移動体向け放送を受信するような受信装置に関する技術が提案されている（例えば、特許文献１参照）。
【０００４】
図１２は、このような機能を有した従来の移動体用デジタル放送受信装置のブロック図である。図１２に示すように、従来の移動体用デジタル受信放送装置は、地上デジタル放送の放送波を受信するためのアンテナ９１２と、受信した放送波からチャンネル選択などを行うフロントエンド部９１４と、フロントエンド部９１４で選択された放送信号を復調しトランスポートストリームを復元するＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ；直交周波数分割多重）復調部９１６と、放送波の受信状況を判定する受信状況判定部９２２と、ＯＦＤＭ復調部９１６から出力されたトランスポートストリームを切り替えて出力する切替制御部９２６と、トランスポートストリームに重畳された符号化データを符号するデコード部９２８と、復号により復元した映像や音声信号を提示する出力部９２０とを備えている。また、デコード部９２８は、固定向け放送における符号化データを復号する固定向け放送デコード部９１８と移動体向け放送における符号化データを復号する移動体向け放送デコード部９１９とを備えている。このような構成の従来の移動体用デジタル放送受信装置において、受信状況判定部９２２には、フロントエンド部９１４で検出された放送波の受信電界強度の検出結果、およびＯＦＤＭ復調部９１６で検出されたＴＳパケットエラーの発生率やＢＥＲなどの検出結果が通知される。受信状況判定部９２２は、これら検出結果に基づいて、特に固定向けデジタル放送の放送波に関する受信状況の良否を示す程度を判定し、その判定結果を切替制御部９２６に通知する。切替制御部９２６は、通知された判定結果、すなわち固定向けデジタル放送の放送波の受信状況に基づいて、固定向けデジタル放送の受信を適切に行うことができるか否かを判定し、出力部９２０からどちらの放送波を出力させるべきかを決定する。そして、切替制御部９２６は、固定向けデジタル放送の受信を適切に行うことができると判定した場合には、ＯＦＤＭ復調部９１６で復元されたトランスポートストリームを固定向け放送デコード部９１８に供給し、固定向けデジタル放送の受信を適切に行うことができないと判定した場合には、ＯＦＤＭ復調部９１６で復元されたトランスポートストリームを移動体向け放送デコード部９１９に供給する。このような構成により、同一番組を放送するサイマル放送が行われる状況において、良好な受信状態である場合には移動体においても高画質の固定向け放送を視聴でき、受信状態が悪化した場合には劣化耐性に優れた移動体向け放送により映像ノイズなどが少ない状態で視聴できる。
【０００５】
また、固定向け放送の復調データと移動体向け放送の復調データとをそれぞれのバッファメモリにバッファリングし、受信状態に応じて一時的に蓄積したいずれかの復調データを選択して出力し、これによって固定向け放送と移動体向け放送とを適応的に切り替えるとともに、相互の切り替えにおいてシームレスな切り替えを可能とするような技術も提案されている（例えば、特許文献２参照）。
【特許文献１】特開２００６−１７４０３０号公報
【特許文献２】特開２００４−３１２３６１号公報
【発明の開示】
【発明が解決しようとする課題】
【０００６】
しかしながら、上述した特許文献１のような構成の場合、固定向け放送および移動体向け放送それぞれの符号化データを両方同時にデコードしておく必要があったため、回路規模とともに消費電力も大きくなるという課題があった。また、上述した特許文献２のように、復調したデータをバッファメモリに一時格納するような構成とすることにより、デコーダのような復号手段の回路規模を削減可能となるが、例えば、切り替えた側のバッファメモリにおいてＩフレームと呼ばれるような画面内符号化データが格納されていない場合には、画面内符号化データが格納されるまでの待ち時間が生じ、その期間例えばブラックアウトと呼ばれるような全面が黒の画像が表示されたりし、違和感なく滑らかに切り替えを行うことが難しいという課題があった。
【０００７】
本発明のテレビジョン放送受信装置は、これらの課題に鑑みなされたものであり、回路規模や消費電力の増加を招くことなく、固定向け放送および移動体向け放送の一方から他方へと切り替えたとき、映像が表示されるまでの待ち時間やその期間の黒画像の表示を抑制するとともに、違和感なく滑らかに切り替えを行うことができるテレビジョン放送受信装置を提供することを目的とする。
【課題を解決するための手段】
【０００８】
上述したような課題を解決するために、本発明のテレビジョン放送受信装置は、１つの物理チャンネル内の２以上のセグメントを用いて送出される固定向け放送と１セグメントのみを用いて送出される移動体向け放送とを含む地上デジタル放送を受信し、受信した地上デジタル放送の放送信号から映像データを含むコンテンツデータを復元するテレビジョン放送受信装置であって、物理チャンネルごとの放送信号を受信し、固定向け放送におけるトランスポートストリームと移動体向け放送におけるトランスポートストリームとを復元する受信部と、それぞれのトランスポートストリームから固定向け放送における符号化映像データと移動体向け放送における符号化映像データとを分離し、抽出する分離部と、固定向け放送における符号化映像データを一時蓄積する固定向け放送用のバッファと、移動体向け放送における符号化映像データを一時蓄積する移動体向け放送用のバッファと、固定向け放送用のバッファに一時蓄積した符号化映像データと移動体向け放送用のバッファに一時蓄積した符号化映像データとを指示に応じて選択する符号化データ選択部と、符号化データ選択部が選択した符号化映像データを復号し、映像データを復元するデコード部と、デコード部が復元した映像データを一時蓄積する出力バッファと、出力バッファに一時蓄積した固定向け放送と移動体向け放送との映像データを指示に応じて選択する表示データ選択部と、符号化データ選択部および表示データ選択部を少なくとも制御する制御部とを備え、制御部は、符号化データ選択部に対して、固定向け放送と移動体向け放送との選択を切り替えるよう指示した後、表示データ選択部に対して、固定向け放送と移動体向け放送との一方の符号化映像データに対応した映像データを所定の期間選択し、他方の符号化映像データに対応した映像データを選択するよう制御する構成である。
【０００９】
また、本発明のテレビジョン放送受信装置は、制御部が、符号化データ選択部に対して、固定向け放送と移動体向け放送との一方の符号化映像データから他方の符号化映像データに選択するよう指示した後、表示データ選択部に対して、一方の符号化映像データに対応した映像データを所定の期間選択した後、他方の符号化映像データに対応した映像データを選択するよう制御する構成である。
【００１０】
また、本発明のテレビジョン放送受信装置は、制御部が、表示データ選択部に対して、一方の符号化映像データに対応した映像データを所定の期間選択するように指示するとともに、所定の期間中において出力バッファに一時蓄積された一方の符号化映像データに対応する映像データがスロー再生されるように出力バッファを制御する構成である。
【００１１】
また、本発明のテレビジョン放送受信装置は、制御部が、符号化データ選択部に対して、固定向け放送と移動体向け放送との一方の符号化映像データから他方の符号化映像データに選択するよう指示した後、表示データ選択部に対して、他方の符号化映像データに対応するはじめに復元できた映像データを所定の期間選択した後、他方の符号化映像データに対応した映像データを順次選択するよう制御する構成である。
【００１２】
また、本発明のテレビジョン放送受信装置は、固定向け放送用のバッファが、画面内符号化データであるＩフレームの符号化映像データから順番にグループオブピクチャ分だけ一時蓄積した後消去する動作を、繰り返すように動作する構成である。
【００１３】
また、本発明のテレビジョン放送受信装置は、移動体向け放送用のバッファが、画面内符号化データであるＩＤＲのアクセスユニットから順番に、１シーケンス分だけ一時蓄積した後消去する動作を、繰り返すように動作する構成である。
【００１４】
また、本発明のテレビジョン放送受信装置は、制御部が、符号化データ選択部に対して、固定向け放送の符号化映像データから移動体向け放送の符号化映像データを選択するよう指示したとき、アクセスユニット有効期間中である場合には、符号化データ選択部に対して、移動体向け放送用のバッファに一時蓄積されたＩＤＲのアクセスユニットから順番に符号化映像データを取り込み、順次デコード部に供給するよう制御し、デコード部に対して、供給されるアクセスユニットのデコード開始時刻が現在の時刻を過ぎている場合には、連続して各アクセスユニットの符号化映像データを復号し、供給されるアクセスユニットのデコード開始時刻が現在の時刻を過ぎていない場合には、現在の時刻がデコード開始時刻となった時点でアクセスユニットの符号化映像データを復号するよう制御し、表示データ選択部に対して、出力バッファに一時蓄積された最も新しいフレームの映像データを取り込み順次一時蓄積されるフレームの映像データを取り込んでいくよう制御する構成である。
【００１５】
また、本発明のテレビジョン放送受信装置は、制御部が、符号化データ選択部に対して、固定向け放送の符号化映像データから移動体向け放送の符号化映像データを選択するよう指示したとき、アクセスユニット有効期間中以外である場合には、移動体向け放送用のバッファにＩＤＲのアクセスユニットが一時蓄積され、かつ現在の時刻がその一時蓄積されたＩＤＲのアクセスユニットのデコード開始時刻となるまで、表示データ選択部に対して、出力バッファに一時蓄積された固定向け放送の映像データを取り込み出力し、その後、出力バッファに一時蓄積された移動体向け放送の映像データを取り込み出力するよう制御する構成である。
【００１６】
また、本発明のテレビジョン放送受信装置は、制御部が、固定向け放送および移動体向け放送のいずれかの受信状況に応じて、符号化データ選択部が固定向け放送用のバッファおよび移動体向け放送用のバッファのどちらの符号化映像データを選択するかを制御する構成である。
【００１７】
また、固定向け放送と移動体向け放送とは、同一の番組が送出されるサイマル放送であり、本発明のテレビジョン放送受信装置は、いずれかの放送のコンテンツデータを復元する構成である。
【００１８】
また、固定向け放送のセグメントは、３セグメント、５セグメント、７セグメントおよび１２セグメントのいずれかであり、本発明のテレビジョン放送受信装置は、その放送のコンテンツデータを復元する構成である。
【００１９】
さらに、本発明のテレビジョン放送受信方法は、１つの物理チャンネル内の２以上のセグメントを用いて送出される固定向け放送と１セグメントのみを用いて送出される移動体向け放送とを含む地上デジタル放送を受信し、受信した地上デジタル放送の放送信号から映像データを含むコンテンツデータを復元するテレビジョン放送受信方法であって、物理チャンネルごとの放送信号を受信し、固定向け放送におけるトランスポートストリームと移動体向け放送におけるトランスポートストリームとを復元するステップと、それぞれのトランスポートストリームから固定向け放送における符号化映像データと移動体向け放送における符号化映像データとを分離し、抽出するステップと、固定向け放送における符号化映像データを固定向け放送用のバッファに一時蓄積するステップと、移動体向け放送における符号化映像データを移動体向け放送用のバッファに一時蓄積するステップと、固定向け放送用のバッファに一時蓄積した符号化映像データと移動体向け放送用のバッファに一時蓄積した符号化映像データとのいずれかを選択するステップと、符号化データ選択部が選択した符号化映像データを復号し、映像データを復元するステップと、デコード部が復元した映像データを出力バッファに一時蓄積するステップと、出力バッファに一時蓄積した固定向け放送と移動体向け放送とのいずれかの映像データを選択するステップとを含み、固定向け放送用のバッファに一時蓄積した符号化映像データと移動体向け放送用のバッファに一時蓄積した符号化映像データとのいずれかを選択するステップにおいて、固定向け放送と移動体向け放送との選択を切り替え、出力バッファに一時蓄積した固定向け放送と移動体向け放送とのいずれかの映像データを選択するステップにおいて、固定向け放送と移動体向け放送との一方の符号化映像データに対応した映像データを所定の期間選択した後、他方の符号化映像データに対応した映像データを選択する構成である。
【発明の効果】
【００２０】
本発明によれば、回路規模や消費電力の増加を招くことなく、固定向け放送および移動体向け放送の一方から他方へと切り替えたとき、映像が表示されるまでの待ち時間を抑制するとともに、黒画像の表示などをはさむこと無くまた違和感なく滑らかに切り替えを行うことができるテレビジョン放送受信装置を提供することができる。
【発明を実施するための最良の形態】
【００２１】
以下、本発明の実施の形態について図面を参照しながら詳細に説明する。
【００２２】
（実施の形態）
図１は、本発明の実施の形態におけるテレビジョン放送受信装置の構成を示すブロック図である。本実施の形態では、車両などの移動体に搭載し、地上デジタル放送の放送信号を受信し、地上デジタル放送における移動体向け放送とともに放送信号を良好に受信可能なときには固定向け放送における映像や音声などのコンテンツをユーザに提示するテレビジョン放送受信装置の一例を挙げて説明する。すなわち、上述したように地上デジタル放送では、一般家庭に設置して視聴するようなテレビジョン放送受信装置を対象として、１２セグメントを利用する固定向け放送とともに、携帯電話装置や車両に搭載したナビゲーション装置のような移動体に付帯したテレビジョン放送受信装置を対象として、１セグメントを利用する移動体向け放送も同時放送されている。本実施の形態のテレビジョン放送受信装置は、このような１つのチャンネルに含まれる固定向け放送と移動体向け放送との放送信号をそれぞれトランスポートストリームとして復元し、検出した受信状態が良好なときには、復元した固定向け放送のトランスポートストリームから抽出した符号化映像データを復号することで高画質の映像を提示する。さらに、本実施の形態のテレビジョン放送受信装置は、受信状態が悪化したときには、復元した移動体向け放送のトランスポートストリームから抽出した符号化映像データを復号することで低画質ではあるもののノイズの発生などを抑制した映像を提示する。
【００２３】
以下、このような本実施の形態におけるテレビジョン放送受信装置の構成について、説明する。なお、本実施の形態では、固定向け放送が１２セグメント、移動体向け放送が１セグメントを利用し、それぞれの放送において同一の番組が送出されるようなサイマル放送形態である地上デジタル放送を対象とした場合の一例を挙げて説明するが、地上デジタル放送の放送方式として、固定向け放送と移動体向け放送とが利用するセグメント数の比は限定されたものではなく、他のセグメント数の比となるような放送形態であってもよい。また、サイマル放送形態である場合の一例を挙げて説明するが、固定向け放送と移動体向け放送とが異なった番組の場合でも本発明を適用することができる。また、より詳細には、日本国内の地上デジタル放送規格であるＩＳＤＢ−Ｔに基づき、固定向け放送は、１２セグメントを利用し、映像圧縮符号化技術であるＭＰＥＧ−２方式にて毎秒３０フレームの映像を送出し、移動体向け放送は、１セグメントを利用し、ＭＰＥＧ（Ｍｏｖｉｎｇ  Ｐｉｃｔｕｒｅ  Ｅｘｐｅｒｔｓ  Ｇｒｏｕｐ）−２方式よりも高圧縮率であるＨ．２６４／ＭＰＥＧ−４  ＡＶＣ方式にて毎秒最大１５フレームの映像を送出する地上デジタル放送に対応したテレビジョン放送受信装置の一例を挙げる。
【００２４】
図１において、アンテナから受信した地上デジタル放送の放送信号は、受信部２０に供給される。例えばユーザが受信を所望するチャンネルを指定すると、ユーザが指定した情報は制御部９０に通知され、制御部９０から指定されたチャンネルに対応した選局制御信号が受信部２０に通知される。なお、制御部９０は、例えば、マイクロプロセッサや中央演算処理装置（ＣＰＵ）およびその周辺メモリなどで構成され、本テレビジョン放送受信装置における各部を制御する制御部であり、詳細については以下で説明する。受信部２０において、選局制御信号はチューナ２１に通知され、チューナ２１は、選局制御信号に応じたチャンネルの放送信号を選局する。また、選局された放送信号はＯＦＤＭ復調部２２に供給される。ＯＦＤＭ復調部２２は、供給された直交周波数分割多重信号、すなわちＯＦＤＭ変調された放送信号に対して復調処理や誤り訂正処理などを施し、ベースバンド信号に変換することでトランスポートストリーム（Ｔｒａｎｓｐｏｒｔ  Ｓｔｒｅａｍ）を復元する。特に、本発明のテレビジョン放送受信装置は、地上デジタル放送における例えば１２セグメントの固定向け放送と１セグメントの移動体向け放送との適応的な受信を目的としているため、ＯＦＤＭ復調部２２は、それぞれの放送に対する処理を行い、固定向け放送から復元したトランスポートストリーム（以下、適宜、「固定向トランスポートストリーム」と呼ぶ）ＴＳｆと移動体向け放送から復元したトランスポートストリーム（以下、適宜、「移動向トランスポートストリーム」と呼ぶ）ＴＳｍとを復元し、次に説明する分離部３０にそれぞれのトランスポートストリームを供給する。また、受信部２０は、チューナ２１における受信電界強度や、ＯＦＤＭ復調部２２における誤り訂正処理での誤り率などを、放送信号の受信状態を示す信号である受信状態通知信号として制御部９０に通知する。なお、詳細については以下で説明するが、受信状態通知信号は、固定向け放送と移動体向け放送とのどちらの放送を復元し提示するかを選択するために利用される。
【００２５】
受信部２０で復元された固定向トランスポートストリームＴＳｆと移動向トランスポートストリームＴＳｍとは、分離部３０に供給される。分離部３０は、トランスポートストリームを構成するトランスポートストリームパケットごとに格納された各種データを、トランスポートストリームから分離し、各種別ごとのデータを抽出する。分離部３０は、トランスポートストリームに多重化された符号化音声データを分離、抽出し、音声のパケッタイズドエレメンタリストリーム（ＰＥＳ：Ｐａｃｋｅｔｉｚｅｄ  Ｅｌｅｍｅｎｔａｒｙ  Ｓｔｒｅａｍ、以下、適宜、「ＰＥＳ」と呼ぶ）の形態で、音声バッファ４９に供給する。また、分離部３０は、トランスポートストリームに多重化されたセクションデータを分離、抽出し制御部９０に供給する。セクションデータは、例えば、地上デジタル放送システムにおけるシステム制御データや番組表などのデータであり、制御部９０は、例えば、通知されたセクションデータでのシステム制御データを用いて最適に受信できるよう受信部２０を制御したり、番組表などのデータを利用して番組表表示データを生成したりする。さらに、分離部３０は、固定向トランスポートストリームＴＳｆに多重化された符号化映像データを分離、抽出し、映像のＰＥＳの形態で、その符号化映像データを一時蓄積するために設けたバッファである固定向け放送用バッファ４１に供給する。また、分離部３０は、移動向トランスポートストリームＴＳｍに多重化された符号化映像データを分離、抽出し、映像のＰＥＳの形態で、その符号化映像データを一時蓄積するために設けたバッファである移動体向け放送用バッファ４２に供給する。なお、ＰＥＳは、例えば映像のＰＥＳの場合、ＰＥＳヘッダと呼ばれるヘッダのデータと１枚の映像または複数の映像に対応する符号化映像データとを組み合わせたデータを１つのパケットとし、このようなパケットを時系列的に複数組み合わせて構成されるストリームである。また、１つのパケットに含まれる１枚の映像に対応した符号化映像データは、それぞれがアクセスユニットと呼ぶ単位で区分される。
【００２６】
分離部３０で分離された符号化音声データは、ＰＥＳの形態で音声バッファ４９に供給される。音声バッファ４９は、分離部３０から供給される符号化音声データを一時蓄積するためのバッファであり、メモリなどの記憶素子で構成される。また、音声デコーダ５９は、符号化音声データを復号するデコーダである。音声デコーダ５９は、音声バッファ４９に一時蓄積された符号化音声データを所定のタイミングで順次取り込み、復号処理を施すことで、音声データを復元する。復元された音声データは、提示部６０に通知され、提示部６０においてＤＡ変換処理や増幅処理が施され、例えば、提示部６０のスピーカなどから受信した番組の音声が出力される。
【００２７】
分離部３０で固定向トランスポートストリームＴＳｆから分離された符号化映像データは、ＰＥＳの形態で、固定向け放送用バッファ（以下、「固定向バッファ」と呼ぶ）４１に供給される。固定向バッファ４１は、ＰＥＳの形態で分離部３０から供給される固定向け放送での符号化映像データを一時蓄積する固定向け放送用のバッファであり、メモリなどの記憶素子で構成される。また、固定向バッファ４１に順次符号化映像データが蓄積されることで、固定向バッファ４１にはＩ−ピクチャ、Ｐ−ピクチャおよびＢ−ピクチャと呼ばれるフレームで符号化映像データが区分されるとともに、各フレームごとのＰＥＳヘッダを含めたデータとして蓄積される。すなわち、本実施の形態では固定向け放送がＭＰＥＧ−２方式に基づき放送されるような一例を挙げており、画面内符号化処理により生成された１枚の映像に対応する符号化映像データがＩ−ピクチャ、画面間前方予測符号化処理により生成された１枚の映像に対応する符号化映像データがＰ−ピクチャ、画面間双方向予測符号化処理により生成された１枚の映像に対応する符号化映像データがＢ−ピクチャとして、固定向バッファ４１にフレームごとの符号化映像データが蓄積される。さらに、固定向バッファ４１には、フレームごとの符号化映像データに対応して、それらのデータをデコードしたり提示したりする時刻を示すタイムスタンプ情報を含むＰＥＳヘッダデータが蓄積される。以下、固定向バッファ４１には、フレームごとに、各ＰＥＳヘッダデータを含めたＩ−ピクチャ、Ｐ−ピクチャおよびＢ−ピクチャのいずれかに対応したデータを格納したパケッタイズドエレメンタリストリームＰＥＳｆ（以下、適宜、単に「ＰＥＳｆ」と呼ぶ）が蓄積されるとして説明する。また、固定向バッファ４１には、制御部９０から無効化指示信号が通知される。無効化指示信号は、バッファに蓄積されたデータを無効化するように指示する信号であり、制御部９０から無効化指示信号が通知されると、固定向バッファ４１は、蓄積したデータを無効化したり消去したりする。
【００２８】
また、分離部３０で移動向トランスポートストリームＴＳｍから分離された符号化映像データは、ＰＥＳの形態で、移動体向け放送用バッファ（以下、「移動向バッファ」と呼ぶ）４２に供給される。移動向バッファ４２は、ＰＥＳの形態で分離部３０から供給される移動体向け放送での符号化映像データを一時蓄積する移動体向け放送用のバッファであり、メモリなどの記憶素子で構成される。また、移動向バッファ４２に順次符号化映像データが蓄積されることで、移動向バッファ４２にはＩＤＲ−ＡＵ（Ｉｎｓｔａｎｔａｎｅｏｕｓ  Ｄｅｃｏｄｅｒ  Ｒｅｆｒｅｓｈ−Ａｃｃｅｓｓ  Ｕｎｉｔ）、および非ＩＤＲ−ＡＵと呼ばれるアクセスユニットで符号化映像データが区分されるとともに、各アクセスユニットごとのＰＥＳヘッダを含めたデータとして蓄積される。すなわち、本実施の形態では移動体向け放送がＨ．２６４／ＭＰＥＧ−４  ＡＶＣ方式に基づき放送されるような一例を挙げており、画面内符号化処理により生成された１枚の映像に対応する符号化映像データがＩＤＲ、画面間前方予測符号化処理により生成された１枚の映像に対応する符号化映像データが非ＩＤＲとして、移動向バッファ４２にアクセスユニットごとの符号化映像データが蓄積される。さらに、移動向バッファ４２には、アクセスユニットごとの符号化映像データに対応して、それらのデータをデコードしたり提示したりする時刻を示すタイムスタンプ情報を含むＰＥＳヘッダデータが蓄積される。以下、移動向バッファ４２には、アクセスユニットごとに、各ＰＥＳヘッダデータを含めたＩＤＲ−ＡＵおよび非ＩＤＲ−ＡＵのいずれかに対応したデータを格納したパケッタイズドエレメンタリストリームＰＥＳｍ（以下、適宜、単に「ＰＥＳｍ」と呼ぶ）が蓄積されるとして説明する。なお実際には、１つのＰＥＳにＩＤＲ−ＡＵおよび複数の非ＩＤＲが含まれていてもよい。
【００２９】
また、移動向バッファ４２にも、制御部９０から無効化指示信号が通知される。制御部９０から無効化指示信号が通知されると、移動向バッファ４２は、蓄積したデータを無効化したり消去したりする。さらに、移動向バッファ４２には、制御部９０から蓄積停止信号が通知される。蓄積停止信号は、移動向バッファ４２に供給されるＰＥＳｍにおいて、ＰＥＳｍに含まれる一部のアクセスユニットの蓄積を停止するように制御するための信号である。本実施の形態では、固定向け放送を復元している場合、制御部９０が蓄積停止信号を移動向バッファ４２に対して通知し、一部のアクセスユニットの蓄積を停止するように制御するような構成としている。
【００３０】
ＰＥＳ選択部４３は、制御部９０から通知されるＰＥＳ選択指示信号に従って、固定向バッファ４１に蓄積されたＰＥＳｆあるいは移動向バッファ４２に蓄積されたＰＥＳｍのいずれかを選択し、選択したＰＥＳをＰＥＳｓとして映像デコーダ５０に供給する。制御部９０の制御に従ってＰＥＳ選択部４３が選択する動作の詳細については以下で説明するが、基本的に、制御部９０は、受信状態通知信号に基づき、固定向け放送と移動体向け放送とのどちらの放送を復元し提示するかを判定し、判定した結果に基づくＰＥＳ選択指示信号にＰＥＳ選択部４３に通知する。ＰＥＳ選択部４３は、ＰＥＳ選択指示信号において固定向け放送を復元する指示の場合、固定向バッファ４１に蓄積されたＰＥＳｆを選択し、移動体向け放送を復元する指示の場合、移動向バッファ４２に蓄積されたＰＥＳｍを選択する。
【００３１】
映像デコーダ５０は、ＰＥＳ選択部４３から供給されるＰＥＳｓに対して、フレームまたはアクセスユニットごとに、逆量子化、動き補償、画面間予測、画面内予測などの処理を行い１枚の画像に対応した画像信号を復元する。特に、本発明のテレビジョン放送受信装置は、このような映像デコーダとして、固定向け放送でのＭＰＥＧ−２方式と移動体向け放送でのＨ．２６４／ＭＰＥＧ−４  ＡＶＣ方式との共用化を図っていることを特徴としている。すなわち、制御部９０は、ＰＥＳ選択部４３に対して固定向バッファ４１に蓄積されたＰＥＳｆを選択するよう指示したとき、この指示とともに、映像デコーダ５０に対してＭＰＥＧ−２方式に基づいた復号化処理を実行するよう指示する。また、制御部９０は、ＰＥＳ選択部４３に対して移動向バッファ４２に蓄積されたＰＥＳｍを選択するよう指示したときには、この指示とともに、映像デコーダ５０に対してＨ．２６４／ＭＰＥＧ−４  ＡＶＣ方式に基づいた復号化処理を実行するよう指示する。映像デコーダ５０は、このように、制御部９０からの指示に応じた符号化方式に対する復号化処理を行う。また、映像デコーダ５０は、このような復号化処理を実行するにあたり、基本的には、ＰＥＳヘッダデータに含まれるタイムスタンプ情報の１つであるデコーディングタイムスタンプ（ＤＴＳ：Ｄｅｃｏｄｉｎｇ  Ｔｉｍｅ  Ｓｔａｍｐ、以下、適宜、「ＤＴＳ」と呼ぶ）情報が示す時刻、あるいは提示タイムスタンプ（ＰＴＳ：Ｐｒｅｓｅｎｔａｔｉｏｎ  Ｔｉｍｅ  Ｓｔａｍｐ、以下、適宜、「ＰＴＳ」と呼ぶ）から算出した時刻に従って復号化処理を行う。ＤＴＳ情報は、デコーダにおける復号化処理の復元タイミングを示す情報であり、また、ＰＴＳ情報は、映像を提示するタイミングを示す情報である。映像デコーダ５０は、これらの時刻情報参照し、この時刻情報に従った時刻において、対応するアクセスユニットの復号化処理を開始する。なお、映像デコーダ５０におけるデコード開始時刻情報に応じた詳細な動作については、以下で説明する。映像デコーダ５０は、復号化処理により復元した映像データＶｄをフレームバッファ５１に供給する。
【００３２】
このように、本発明のテレビジョン放送受信装置は、１つの映像デコーダ５０により固定向け放送と移動体向け放送とを選択に復元することを特徴としており、これによって回路規模や消費電力の増加を抑制している。なお映像デコーダ５０が固定向け放送でのＭＰＥＧ−２方式のみ復号化処理が可能であるような場合、Ｈ．２６４／ＭＰＥＧ−４  ＡＶＣ方式に対しては、例えば制御部９０により復号化処理を行う構成であってもよい。
【００３３】
フレームバッファ５１は、映像デコーダ５０から供給される映像データＶｄを、１枚の画像信号に対応するフレーム単位で、複数フレームに相当する映像データを一時蓄積する。なお、本実施の形態においては、フレーム単位で蓄積し処理するとして説明するが、フィールド単位やその他の映像単位で処理するような構成であってもよい。また、フレームバッファ５１は固定向け放送と移動向け放送とで共通のバッファであり、固定向け放送のフレームで満たされているときもあれば移動向け放送のフレームで満たされているときもあり、また両放送のフレームが混在しているときもある。
【００３４】
表示データ選択部５３は、制御部９０から通知される表示データ選択指示信号に従って、フレームバッファ５１に蓄積された複数フレームの中から表示データ選択指示信号により指示されたフレームの映像データを選択し、選択した映像データを出力する。表示データ選択部５３による選択の詳細な動作についても以下で説明するが、表示データ選択部５３は、特に、固定向け放送と移動体向け放送との一方から他方へ切り替えた場合において、その切り替え処理での最適な映像データを選択するために設けている。すなわち、本発明のテレビジョン放送受信装置は、上述したように、１つの映像デコーダ５０により固定向け放送と移動体向け放送とを選択的に復元する構成であるため、固定向け放送のＰＥＳｆと移動体向け放送のＰＥＳｍとを単に切り替えるのみの構成では、切り替えた処理が正常に動作するまでの待ち時間が必要となる。本発明のテレビジョン放送受信装置は、このような切り替え時における違和感のない滑らかな切り替えを行うため、表示データ選択部５３を設け、表示データ選択部５３がフレームバッファ５１に蓄積された複数フレームの映像データから最適な映像データを選択するような構成としたことを特徴としている。表示データ選択部５３は、選択したフレーム単位の映像データを提示部６０に供給する。
【００３５】
提示部６０は、表示データ選択部５３から供給された映像データにより、ディスプレイなどの表示手段を駆動表示し、これによって地上デジタル放送の番組がユーザに提示される。
【００３６】
また、制御部９０は、本テレビジョン放送受信装置における各部を制御する制御部であり、特に、本実施の形態の制御部９０は、無効化指示信号や蓄積停止信号を用いて移動向バッファ４２を制御する構成であり、これにより、メモリなどの記憶素子量を削減している。さらに、本実施の形態の制御部９０は、ＰＥＳ選択部４３、映像デコーダ５０および表示データ選択部５３を上述したように制御する構成であり、これにより、固定向け放送および移動体向け放送の一方から他方へと切り替えたとき、映像が表示されるまでの待ち時間を抑制するとともに、違和感なく滑らかな切り替えを実現している。
【００３７】
図２は、本発明の実施の形態におけるテレビジョン放送受信装置の要部の構成を示すブロック図である。図２では、固定向け放送を提示している場合の様子を示している。また、図３は、移動向バッファ４２に順次蓄積する各アクセスユニットを示した図である。次に、これらの図面を参照しながら、移動向バッファ４２に移動体向け放送のＰＥＳｍを一時蓄積する基本的な動作について説明する。
【００３８】
まず、図２に示すように、分離部３０により分離抽出された、固定向け放送のＰＥＳｆは固定向バッファ４１に蓄積され、移動体向け放送のＰＥＳｍは移動向バッファ４２に蓄積される。このように、本テレビジョン放送受信装置は、固定向け放送を提示している場合においても、移動向バッファ４２に移動体向け放送のＰＥＳｍを蓄積する。図２では、移動向バッファ４２において、ＰＥＳｍでのアクセスユニットとしてＩＤＲ−ＡＵとともに非ＩＤＲであるアクセスユニットＡｕを１７個まで蓄積可能なように構成した一例を示している。より具体的には、アクセスユニットごとの符号化映像データ量は可変長であるため、移動向バッファ４２の容量としては、例えば、ＩＤＲ−ＡＵが５秒間隔となるような１つのシーケンスを想定して、３８４（ｋｂｐｓ）×５秒＝１９２０ＫＢｙｔｅとしている。
【００３９】
また、固定向バッファ４１において、ＰＥＳｆでのフレームとしてＩーピクチャから順次ＰおよびＢ−ピクチャを蓄積するような構成例を示している。制御部９０により固定向け放送を提示するよう制御されている場合、ＰＥＳ選択部４３は、固定向バッファ４１側を選択し、これによって固定向け放送のＰＥＳｆが映像デコーダ５０に供給される。映像デコーダ５０は、ＰＥＳｆにおけるＰＴＳ情報を参照し、ＰＴＳ情報に対応した時刻になるとそれに対応したアクセスユニットの復号化処理を行い、生成した映像データをフレームバッファ５１に供給する。なお、このような映像デコーダ５０がデコードを開始する時刻は、ＰＴＳ情報の時刻から、デコード処理時間や映像出力までに必要な時間を差し引いた時刻とする。また、すべてのフレームに対するＰＴＳ情報が付加されていない場合には、フレーム間隔よりＰＴＳに対応した時刻を換算してデコードを開始する時刻を求める。また、デコード開始時刻であるＤＴＳ情報が通知されている場合には、このＤＴＳ情報に基づきデコードを開始してもよい。映像データは、フレームバッファ５１に一時蓄積された後、表示データ選択部５３を介して提示部６０へと出力される。
【００４０】
図３では、移動向バッファ４２に供給されるＰＥＳｍにおいて、ＰＥＳｍに含まれる各アクセスユニットが蓄積される様子を示している。図３に示すように、移動向バッファ４２には、ＩＤＲ−ＡＵを先頭にして、順次、ＡＵで示す非ＩＤＲ−ＡＵであるアクセスユニットが蓄積される。すなわち、まず図３（ａ）に示すようにＩＤＲ−ＡＵが移動向バッファ４２に蓄積される。このとき、必ずしもＩＤＲ−ＡＵをはじめに受けられるとは限らないが、ＩＤＲ−ＡＵを受信できるまでは非ＩＤＲ−ＡＵを廃棄する。その後、図３（ｂ）に示すように、順次、非ＩＤＲ−ＡＵが蓄積されていく。この後、図３（ｃ）に示すように、非ＩＤＲ−ＡＵの蓄積において、シーケンスの終端部の非ＩＤＲ−ＡＵと判定した場合、それら非ＩＤＲ−ＡＵの蓄積を停止する。なお、シーケンスの終端部であることはそのＡＵがもつ情報から知ることはできないが、同一ストリームにおいては一定間隔を保つ傾向にある。すなわちＩＤＲ−ＡＵが２秒間隔であるストリームは永遠に２秒間隔である可能性が高く、５秒間隔であるストリームは永遠に５秒間隔である可能性が高い。このような性質を利用して、例えば２秒間隔でフレームレートが１５ｆｐｓであるようなストリームの場合はＩＤＲ−ＡＵから数えて２９番目のＡＵがシーケンスの終端と判断できる。また、このような、シーケンス終端部における非ＩＤＲ−ＡＵの蓄積を停止する処理は、固定向け放送から移動体向け放送へと切り替えたとき、その切り替えのための遅延により、次のＩＤＲ−ＡＵとデコード開始時刻が重なり、その結果、表示における遅延がさらに大きくなることを抑制している。
【００４１】
また、次のＩＤＲ−ＡＵが供給された時点で、図３（ｃ）のように蓄積した各アクセスユニットを無効化にするとともに、その時点で供給されたＩＤＲ−ＡＵからの蓄積を開始する。また、図３（ｄ）に示すように、シーケンスの終端部の非ＩＤＲ−ＡＵが供給されるよりも早くＩＤＲ−ＡＵが供給された場合には、続けてそのＩＤＲ−ＡＵを蓄積し、移動向バッファ４２への蓄積が一杯となった時点で、前回のシーケンス分のデータを削除し、削除した領域に、続けて非ＩＤＲ−ＡＵを蓄積する。
【００４２】
本テレビジョン放送受信装置は、固定向け放送を提示している場合において、このように、移動向バッファ４２へのＰＥＳｍの蓄積処理を行っており、メモリ容量の節約を図っている。
【００４３】
次に、固定向け放送を提示している場合において、移動向バッファ４２に移動体向け放送のＰＥＳｍを一時蓄積する詳細な動作について説明する。図４は、移動向バッファ４２を管理するために設けた移動向バッファ管理テーブルの一例を示した図である。図３を用いて説明したような処理を実行するため、制御部９０は、図４に示すような移動向バッファ管理テーブルを参照して移動向バッファ４２に蓄積した各アクセスユニットを管理する。移動向バッファ管理テーブルにおいて、デコード開始時刻はＰＴＳ情報から求めたデコードの開始時刻、アドレスはそれぞれのアクセスユニットが格納される先頭アドレス、フレーム種類はそのアクセスユニットがＩＤＲ−ＡＵか非ＩＤＲ−ＡＵかを示すデータ、また、有効／無効はアクセスユニットを有効と判断してデコード対象とするアクセスユニットであるか無効と判断してデコード対象としないアクセスユニットであるかを示すデータである。なお、デコード開始時刻はアクセスユニットに付加されたＰＴＳから、デコードに要する時間や、映像信号出力までに要する遅延時間を差し引いた時刻である。この時刻にデコードを開始することで、映像音声の同時再生を行う。但し、すべてのＡＵにＰＴＳが付加されているとは限らないので、付加されていない場合はすべてのＡＵに必ず付加されるフレーム間隔からＰＴＳを換算してデコード開始時刻を求める。
【００４４】
また、図５は、図３を用いて説明したような処理を実行するため、制御部９０が用いるパラメータの一覧を示した図である。図５（ａ）は、制御部９０がＰＥＳｍから求めるパラメータ、図５（ｂ）はシステムとして規定されているパラメータ、図５（ｃ）は、図５（ａ）および（ｂ）から求めたパラメータを示している。また、図５（ｃ）において、パラメータＤＥＣＴＩＭＥ＿ＩＤＲ＿ＮＥＸＴは、次のＩＤＲ−ＡＵのデコードを開始する予想時刻であり、パラメータＤＥＣＴＩＭＥ＿ＡＬＬは、固定向け放送から移動体向け放送に切り替えたとき、移動向バッファ４２に蓄積中の最も新しいアクセスユニットを出力できるまでの時間を示している。ＤＥＣＴＩＭＥ＿ＡＬＬは固定向け放送から移動体向け放送へ切り替える際に要する時間およびＩＤＲ−ＡＵをデコードするのに必要な時間および非ＩＤＲ−ＡＵをデコードするのに必要な時間と今の時点での非ＩＤＲ−ＡＵの蓄積個数をすべて足したもので求めることができる。一般にＩＤＲ−ＡＵと非ＩＤＲ−ＡＵはデコード時間が異なるため分けて書いているが、ＩＤＲ−ＡＵと非ＩＤＲ−ＡＵが同じデコード時間であるときはまとめた計算式でもよい。
【００４５】
また、図６は、固定向け放送を提示している場合において、制御部９０が移動向バッファ４２に移動体向け放送のＰＥＳｍを一時蓄積するための手順を示したフローチャートである。以下、図４から図６を参照しながら、固定向け放送を提示している場合において、制御部９０が移動向バッファ４２にＰＥＳｍを蓄積する動作について説明する。
【００４６】
図６において、まず、ＰＥＳｍが移動向バッファ４２へ到着する。到着後はすぐにアクセスユニットの単位に分割される。アクセスユニットへの分割は特定のコード列を検索することで可能である。制御部９０は、ＩＤＲ−ＡＵか否かを判断する（ステップＳ１０２）なおＩＤＲ−ＡＵか非ＩＤＲ−ＡＵかの判断はアクセスユニット先頭のヘッダ部を解析することで容易にできる。制御部９０は、ＩＤＲ−ＡＵであると判定するとステップＳ１３４へ分岐し、ステップＳ１３４でシステムタイムクロックからＤＥＣＴＩＭＥ＿ＩＤＲ＿ＮＥＸＴとＤＥＣＴＩＭＥ＿ＡＬＬとから本テレビジョン放送受信装置内の基準時刻であるシステム基準時刻（ＳＴＣ：Ｓｙｓｔｅｍ  Ｔｉｍｅ  Ｃｌｏｃｋ、以下、適宜、「ＳＴＣ」と呼ぶ）情報を求める。なお、固定向け放送を提示している場合、ＳＴＣは固定向け放送に同期するため、移動体向け放送のＳＴＣは不明であるので、移動体向け放送のプログラム時刻基準参照（Ｐｒｏｇｒａｍ  Ｃｌｏｃｋ  Ｒｅｆｅｒｅｎｃｅ  以下、適宜、「ＰＣＲ」と呼ぶ）情報に同期した時刻を作り出す必要がある。また、ＰＣＲは通常固定向け放送と移動体向け放送それぞれで独立した値を生成して送られる。このため、１度移動体向け放送を受信し、ＳＴＣを移動向け放送のＰＣＲに同期させる。次にシステムタイマー（受信機の原発振）とＳＴＣを比較し、オフセット値を保存する。固定向け放送受信中はシステムタイマーにオフセット値を加算することで、移動向け放送のＰＣＲを推定できる。仮に受信状態の変動などによりＰＣＲにジッタがあったとしても、固定向け放送視聴中の受信機の移動体向け放送の時間軸の精度はｍｓｅｃのオーダーであり支障はない。次に、制御部９０は、図４に示したような移動体向け放送管理テーブルをリセットする（ステップＳ１３６）。次に、制御部９０は、到着したＩＤＲ−ＡＵを移動向バッファ４２の先頭に蓄積する（ステップＳ１３８）。この後、制御部９０は、移動向バッファ４２への制御から戻り（ステップＳ１５０）、次のアクセスユニットの到着を待つ。
【００４７】
次のアクセスユニットが到着すると、制御部９０は、ＩＤＲ−ＡＵか否かを判定する（ステップＳ１０２）。そのアクセスユニットが非ＩＤＲ−ＡＵであると判定すると、ステップＳ１０４へ分岐する。次に、制御部９０は、ＡＵ無効時刻を過ぎたか否かを判断する（ステップＳ１０４）。過ぎていないときには、ステップＳ１０６へ分岐する。ステップＳ１０６へ分岐すると、制御部９０は、ＮＩＤＲ＿ＮＵＭ＿ＣＵＲをインクリメントする（ステップＳ１０６）。次に、制御部９０は、ＤＥＣ＿ＤＥＬＡＹＴＩＭＥ＿ＡＬＬを計算する（ステップＳ１０８）。さらに、制御部９０は、ＡＵ無効時刻とするための時刻値であるＤＥＣＴＩＭＥ＿ＩＤＲ＿ＮＥＸＴ−ＤＥＣ＿ＤＥＬＡＹＴＩＭＥ＿ＡＬＬを計算する（ステップＳ１１０）。制御部９０は、現在時刻が算出したＡＵ無効時刻を過ぎているか否かを判定する（ステップＳ１１２）。過ぎていればステップＳ１１６へ分岐する。過ぎていなければステップＳ１１４へ進む。ステップＳ１１４へ分岐した場合、制御部９０は、図３（ｃ）で示したように、次のＩＤＲ＿ＡＵを受信するまで非ＩＤＲ＿ＡＵの蓄積を停止する。次に、制御部９０は、到着したアクセスユニットを移動向バッファ４２に蓄積する（ステップＳ１１６）。次に、制御部９０は、移動向バッファ管理テーブルを更新する（ステップＳ１１８）。そして、制御部９０は、移動向バッファ４２への制御から戻り（ステップＳ１５０）、次のアクセスユニットの到着を待つ。制御部９０は、移動向バッファ４２の制御において、図６に示したような処理を繰り返す。
【００４８】
以上説明したように、本実施の形態のテレビジョン放送受信装置は、固定向け放送を提示している場合においても、移動向バッファ４２にＩＤＲ−ＡＵからそれに続く非ＩＤＲ−ＡＵを一時蓄積しているため、固定向け放送から移動体向け放送へと切り替えた場合において、移動向バッファ４２に蓄積しているＩＤＲ−ＡＵから復号化処理を実行できるため、滑らかな切り替えが可能であるとともに、ＡＵ無効時間を設けているためメモリ量の削減をも図ることができる。
【００４９】
なお、移動体向け放送の提示状態から固定向け放送の提示に切り替える場合も、同様の方法により、切替時間の短縮と消費電力の削減が可能であることはいうまでもない。
【００５０】
次に、固定向け放送の提示から移動体向け放送の提示へと切り替えるときの動作について説明する。図７は、本発明の実施の形態におけるテレビジョン放送受信装置の要部の構成を示すブロック図であり、固定向け放送から移動体向け放送へと切り替える時点における様子を示している。
【００５１】
まず、図７に示すように、分離部３０により分離抽出された、固定向け放送のＰＥＳｆは固定向バッファ４１に蓄積され、移動体向け放送のＰＥＳｍは移動向バッファ４２に蓄積される。固定向バッファ４１においては、ＰＥＳｆでのアクセスユニットとしてＩーピクチャから順次ＰおよびＢ−ピクチャが蓄積される。また、移動向バッファ４２においては、上述したようにＩＤＲ−ＡＵとともに、それに続くいくらかの非ＩＤＲ−ＡＵが蓄積されている。このような固定向バッファ４１および移動向バッファ４２の蓄積状態に対して、ＰＥＳ選択部４３は、制御部９０の指示により、移動向バッファ４２に蓄積されたアクセスユニットの読み出しへと切り替える。これにより、映像デコーダ５０には、ＰＥＳｓとして移動体向け放送のＰＥＳｍが供給される。映像デコーダ５０は、ＰＥＳｍにおけるＰＴＳ情報を参照してデコード開始時刻を算出し、このデコード開始時刻が示す時刻になるとそれに対応したアクセスユニットの復号化処理を行い、生成した映像データをフレームバッファ５１に供給する。このとき、図７に示すように、フレームバッファ５１には、固定向け放送のＰＥＳｆから復元した映像データがまだ存在している。図７では、フレームバッファ５１において、フレームバッファ５１ｆで示す領域にこのような固定向け放送の映像データが残っており、フレームバッファ５１ｍで示すそのときの空いた領域に、固定向け放送の映像データを蓄積していくような状態を示している。
【００５２】
本実施の形態におけるテレビジョン放送受信装置は、このような固定向け放送の提示から移動体向け放送の提示へと切り替える時点において、フレームバッファ５１に残った固定向け放送の映像データを利用し、移動体向け放送のＰＥＳｍの復号化処理が安定するまでの間、固定向け放送の映像データをスロー再生したり静止画として提示することにより、滑らかな切り替えを実現している。なお、以下、このような構成の詳細について説明するが、例えば、固定向け放送の提示から移動体向け放送の提示へと切り替える時点において、まず、移動体向け放送のＰＥＳｍの符号化映像データに対応するはじめに復元できた映像データを所定の期間選択し静止画として提示した後、順次ＰＥＳｍから復元した映像データを選択して提示するような構成であってもよい。
【００５３】
図８は、固定向け放送の提示から移動体向け放送の提示への切り替え時における処理手順の概要を示した図である。次に、図８を参照しながら、このような切り替え時での処理の概要について説明する。図８では、時間経過に対する、提示部６０から提示する映像および音声の出力状態と、音声デコーダ５９および映像デコーダ５０での処理状態とを示している。
【００５４】
図８において、制御部９０が固定向け放送の提示から移動体向け放送の提示へと切り替えると判断すると、制御部９０の制御により、図８に示す下向き太矢印の切替要求の時点で、まず映像デコーダ５０は固定向け放送のＰＥＳｆに対する復号化処理を停止し、移動体向け放送のＰＥＳｍの復号化処理を開始する。また、制御部９０は、装置内の基準時間を固定向け放送のＳＴＣから移動体向け放送のＳＴＣに切り替える。また、制御部９０は、固定向バッファ４１および移動向バッファ４２のデータ消去や、映像デコーダ５０内部の各種パラメータの変更などの切り替えを行う。また、それに伴い、移動体向け放送のＰＥＳｍを移動向バッファ４２から、映像デコーダ５０へ供給するための処理全般を行う。この後、制御部９０は、表示データ選択部５３に対して、フレームバッファ５１の領域５１ｆに蓄積されている映像データの読み出し速度を通常よりも遅い状態で読み出すよう制御する。これによって、提示部６０には固定向け放送における切り替え前の映像がスロー再生の状態で提示される。また、制御部９０は、音声デコーダ５９に対して、音声出力を停止し、無音出力とするよう指示する。この間に、映像デコーダ５０と音声デコーダ５９とは、制御部９０の制御により、固定向け放送のＰＥＳに対する復号化から移動体向け放送のＰＥＳに対する復号化へと切り替えられる。また、制御部９０は、映像デコーダ５０はデコード処理によりデコード開始時刻に追いつきＳＴＣと同期した映像になるまで繰り返し動画再生が正常となるまで、表示データ選択部５３に対して、移動体向け放送のＰＥＳｍの先頭画像の静止画を出力するよう制御するとともに、映像デコーダ５０による動画再生が正常になるとその通常画像を出力するよう制御する。
【００５５】
次に、固定向け放送の提示から移動体向け放送の提示へと切り替えるときの詳細な動作について説明する。図９、図１０および図１１は、固定向け放送の提示から移動体向け放送の提示へと切り替えるときの各処理の手順を示したフローチャートである。以下、図９、図１０および図１１を参照しながら固定向け放送の提示から移動体向け放送の提示へと切り替える動作の詳細について説明する。
【００５６】
まず、図９に示すように、制御部９０が固定向け放送の提示から移動体向け放送の提示へと切り替えるよう決定する（ステップＳ２００）と、次に制御部９０は、図３（ｃ）で説明したようなＡＵ無効時刻を過ぎているか否かを判断する（ステップＳ２０２）。制御部９０は、ＡＵ無効時刻を過ぎていると判定した場合、ステップＳ２０４へ分岐する。ステップＳ２０３へ分岐した場合、制御部９０は、次のＩＤＲ＿ＡＵを受信して、デコード開始時刻が来るのを待ち、この後、図１０に示す処理Ａに進む。ＡＵ無効時刻を過ぎている場合はこのように次のＩＤＲ−ＡＵを受信したほうが早く出力できる。一方、制御部９０がＡＵ無効時刻を過ぎていないと判定した場合（ステップＳ２０２）は、ステップＳ２０６へと分岐する。制御部９０は、ステップＳ２０６へと分岐すると、次に、映像デコーダ５０の切り替え行い（ステップＳ２０６）、ステップＳ２０８へと進む。次に、制御部９０は、現在の時刻がＡＵ無効時刻を過ぎているか否かを判定する（ステップＳ２０８）。制御部９０は、ＡＵ無効時刻を過ぎていないと判定した場合、図１０に示す処理Ａに進み、ＡＵ無効時刻を過ぎたと判定した場合、図１１に示す処理Ｂに進む。
【００５７】
制御部９０は、図１０に示す処理Ａに進むと、まず、移動向バッファ管理テーブルを参照し、移動向バッファ４２に蓄積した最新のＩＤＲ−ＡＵをアクセスするよう移動向バッファ４２を制御する（ステップＳ２２０）。これにより、映像デコーダ５０には、ＰＥＳ選択部４３を介して、その最新のＩＤＲ−ＡＵが供給される。映像デコーダ５０は、まず、そのＩＤＲ−ＡＵのＰＴＳ情報を読み取り、制御部９０にそのＰＴＳ情報を通知する。制御部９０は、現在の時刻であるＳＴＣ情報と通知されたＰＴＳ情報から算出したデコード開始時刻情報とを比較し、現在の時刻がデコード開始時刻を過ぎたか否かを判定する（ステップＳ２２２）。制御部９０は、現在の時刻がデコード開始時刻を過ぎていないと判定した場合には、デコード開始時刻情報が示すデコード開始時刻まで待つよう映像デコーダ５０に通知する（ステップＳ２２４）。また、制御部９０は、現在の時刻がデコード開始時刻を過ぎていると判定した場合には、ステップＳ２２６の処理に進む。制御部９０は、現在の時刻がデコード開始時刻情報で示される時刻になると、映像デコーダ５０に対して、供給されているＩＤＲ−ＡＵの復号化処理を開始するよう通知する。これによって、移動体向け放送におけるアクセスユニットの復号化処理が実行され（ステップＳ２２６）、映像デコーダ５０からフレームバッファ５１に移動体向け放送の映像データが蓄積される。表示データ選択部５３は、垂直同期信号Ｖｓｙｎｃのタイミングを監視し、垂直同期信号Ｖｓｙｎｃのタイミングであると判定するとステップＳ２３０の処理に進み、また、垂直同期信号Ｖｓｙｎｃのタイミングではないと判定するとステップＳ２３２の処理に進む（ステップＳ２２８）。表示データ選択部５３は、垂直同期信号Ｖｓｙｎｃのタイミングとなった場合、フレームバッファ５１に蓄積した映像データを選択して出力する（ステップＳ２３０）。この後、制御部９０は、移動向バッファ管理テーブルの次のアクセスユニットに移り（ステップＳ２３２）、そのテーブルでの情報を参照しステップＳ２２２の処理に進む。
【００５８】
また、制御部９０は、図１１に示す処理Ｂに進むと、まず、移動向バッファ管理テーブルを参照し、移動向バッファ４２に蓄積した最新のＩＤＲ−ＡＵをアクセスするよう移動向バッファ４２を制御する（ステップＳ２４０）。これにより、映像デコーダ５０には、ＰＥＳ選択部４３を介して、その最新のＩＤＲ−ＡＵが供給される。映像デコーダ５０は、まず、そのＩＤＲ−ＡＵのＰＴＳ情報を読み取り、制御部９０にそのＰＴＳ情報を通知する。制御部９０は、現在の時刻であるＳＴＣ情報と通知されたＰＴＳ情報から算出したデコード開始時刻情報とを比較し、現在の時刻がデコード開始時刻を過ぎたか否かを判定する（ステップＳ２４２）。制御部９０は、現在の時刻がデコード開始時刻を過ぎていないと判定した場合には、デコード開始時刻情報が示すデコード開始時刻まで待つよう映像デコーダ５０に通知する（ステップＳ２４４）。また、制御部９０は、現在の時刻がデコード開始時刻を過ぎていると判定した場合には、ステップＳ２４６の処理に進む。制御部９０は、現在の時刻がデコード開始時刻情報で示される時刻になると、映像デコーダ５０に対して、供給されているＩＤＲ−ＡＵの復号化処理を開始するよう通知する。これによって、移動体向け放送におけるアクセスユニットの復号化処理が実行され（ステップＳ２４６）、映像デコーダ５０からフレームバッファ５１に移動体向け放送の映像データが蓄積される。また、このとき、制御部９０は、現在の時刻に比べてデコード開始時刻情報が示すデコード開始時刻が１秒以上過去であるか否かを判定する。制御部９０は、デコード開始時刻が１秒以上過去であると判定した場合には、ステップＳ２５４の処理に進む。また、制御部９０は、デコード開始時刻が１秒以上過去ではないと判定した場合には、ステップＳ２５０の処理に進む。このようにして１秒以上過去の映像を出力しないようにしている。１秒以上過去の映像を出力すると違和感を感じることがあるため、このような制御にしているが、１秒以上過去の映像出力が特に問題でなければこのような制御は不要である。次に、表示データ選択部５３は、垂直同期信号Ｖｓｙｎｃのタイミングを監視し、垂直同期信号Ｖｓｙｎｃのタイミングであると判定するとステップＳ２５２の処理に進み、また、垂直同期信号Ｖｓｙｎｃのタイミングではないと判定するとステップＳ２５４の処理に進む（ステップＳ２５０）。表示データ選択部５３は、垂直同期信号Ｖｓｙｎｃのタイミングとなった場合、フレームバッファ５１に蓄積した映像データを選択して出力する（ステップＳ２５２）。この後、制御部９０は、移動向バッファ管理テーブルの次のアクセスユニットに移り（ステップＳ２５４）、そのテーブルでの情報を参照しステップＳ２４２の処理に進む。
【００５９】
以上説明したように、本発明のテレビジョン放送受信装置は、固定向け放送のＰＥＳｆを蓄積する固定向バッファ４１と、移動体向け放送のＰＥＳｍを蓄積する移動向バッファ４２と、それぞれのバッファに蓄積したＰＥＳを選択するＰＥＳ選択部４３と、選択したＰＥＳから映像データを復元する映像デコーダ５０と、復元した映像データを区分して蓄積するフレームバッファ５１と、フレームバッファ５１に蓄積した映像データを指示に応じて選択する表示データ選択部５３と、ＰＥＳ選択部４３および表示データ選択部５３を少なくとも制御する制御部９０とを備え、制御部９０は、ＰＥＳ選択部４３に対して、例えば、固定向け放送のＰＥＳｆから移動体向け放送のＰＥＳｍへと切り替え、ＰＥＳｍを選択するよう指示し、表示データ選択部５３に対して固定向け放送のＰＥＳｆに対応した映像データを所定の期間選択した後、移動体向け放送のＰＥＳｍに対応した映像データを選択するよう制御し、このような制御により選択された映像データが表示データ選択部５３から提示部６０に供給される構成である。このため、本発明のテレビジョン放送受信装置によれば、例えば、固定向け放送のＰＥＳｆに対する復号化処理に並行して、ＩＤＲ−ＡＵからのＡＵ無効期間を設けた約１シーケンス分のアクセスユニットを移動向バッファに供給しているため、１つの映像デコーダで固定向け放送あるいは移動体向け放送の提示ができるとともに、ＰＥＳを蓄積する記憶素子量を削減できる。さらに、表示データ選択部が移動体向け放送のＰＥＳｍを選択した後、固定向け放送のＰＥＳｆに対応した映像データを所定の期間選択し、移動体向け放送のＰＥＳｍに対応した映像データを選択して出力するため、切り替え時において、例えば切り替え前の映像データをスロー再生でき、これによって滑らかな切り替えを実現できる。このように、本発明によれば、回路規模や消費電力の増加を招くことなく、固定向け放送および移動体向け放送の一方から他方へと切り替えたとき、映像が表示されるまでの待ち時間を抑制するとともに、違和感なく滑らかに切り替えを行うことができるテレビジョン放送受信装置を提供することができる。
【００６０】
なお、以上の説明では、図１に示したような構成のテレビジョン放送受信装置について説明したが、物理チャンネルごとの放送信号を受信し、固定向け放送におけるトランスポートストリームと移動体向け放送におけるトランスポートストリームとを復元するステップと、それぞれのトランスポートストリームから固定向け放送における符号化映像データと移動体向け放送における符号化映像データとを分離し、抽出するステップと、固定向け放送における符号化映像データを固定向け放送用のバッファに一時蓄積するステップと、移動体向け放送における符号化映像データを移動体向け放送用のバッファに一時蓄積するステップと、固定向け放送用のバッファに一時蓄積した符号化映像データと移動体向け放送用のバッファに一時蓄積した符号化映像データとのいずれかを選択するステップと、符号化データ選択部が選択した符号化映像データを復号し、映像データを復元するステップと、デコード部が復元した映像データを出力バッファに一時蓄積するステップと、出力バッファに一時蓄積した固定向け放送と移動体向け放送とのいずれかの映像データを選択するステップとを含み、固定向け放送用のバッファに一時蓄積した符号化映像データと移動体向け放送用のバッファに一時蓄積した符号化映像データとのいずれかを選択するステップにおいて、固定向け放送と移動体向け放送との選択を切り替えた後、出力バッファに一時蓄積した固定向け放送と移動体向け放送とのいずれかの映像データを選択するステップにおいて、固定向け放送と移動体向け放送との一方の符号化映像データに対応した映像データを所定の期間選択した後、他方の符号化映像データに対応した映像データを選択するようなテレビジョン放送受信方法によっても同様の効果を得ることができる。
【００６１】
また、本発明を上記実施の形態に基づいて説明してきたが、本発明は、上記の実施の形態に限定されないのはもちろんである。以下のような場合も本発明に含まれる。
【００６２】
すなわち、本テレビジョン放送受信装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）に含まれるとしてもよい。システムＬＳＩは、複数の構成部を１個のチップ上に集積して製造された超多機能ＬＳＩである。
【００６３】
また、上記の回路を構成する構成要素の各部は、個別に１チップ化されていてもよいし、一部またはすべてを含むように１チップ化されてもよい。
【００６４】
また、ここでは、システムＬＳＩとしたが、集積度の違いにより、ＩＣ、ＬＳＩ、スーパーＬＳＩ、ウルトラＬＳＩと呼称されることもある。また、集積回路化の手法はＬＳＩに限るものではなく、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。
【００６５】
さらには、半導体技術の進歩または派生する別技術によりＬＳＩに置き換わる集積回路化の技術が登場すれば、当然、その技術を用いて機能ブロックの集積化を行ってもよい。バイオ技術の適応などが可能性としてありえる。
【００６６】
また、本発明は、上記に示す方法であるとしてもよい。また、これらの方法をコンピュータにより実現するコンピュータプログラムであるとしてもよいし、上記コンピュータプログラムからなるデジタル信号であるとしてもよい。
【００６７】
また、本発明は、上記コンピュータプログラムまたは上記デジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどに記録したものとしてもよい。また、これらの記録媒体に記録されている上記デジタル信号であるとしてもよい。
【００６８】
また、本発明は、上記コンピュータプログラムまたは上記デジタル信号を、電気通信回線、無線または有線通信回線、インターネットを代表とするネットワーク、データ放送などを経由して伝送するものとしてもよい。
【００６９】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしてもよい。
【００７０】
また、上記プログラムまたは上記デジタル信号を上記記録媒体に記録して移送することにより、または上記プログラムまたは上記デジタル信号を上記ネットワークなどを経由して移送することにより、独立した他のコンピュータシステムにより実施するとしてもよい。
【００７１】
また、上記実施の形態および上記変形例をそれぞれ組み合わせるとしてもよい。
【産業上の利用可能性】
【００７２】
本発明は、例えば自動車に搭載した地上デジタル放送受信機に適用すれば、高速走行中や、ビルの影など電波状態の悪いところでは、ワンセグ放送のような移動体向け放送を表示でき、停止中や電波状態が良好なときは１２セグ放送のような高精細度映像の固定向け放送を表示できるとともに、移動体向け放送から固定向け放送への切り替えまたはその逆の切り替え時に違和感なく映像表示を切り替えることが可能になる。
【図面の簡単な説明】
【００７３】
【図１】本発明の実施の形態におけるテレビジョン放送受信装置の構成を示すブロック図
【図２】本発明の実施の形態におけるテレビジョン放送受信装置の要部の構成を示すブロック図
【図３】移動向バッファに順次蓄積する各アクセスユニットを示した図
【図４】移動向バッファを管理するために設けた移動向バッファ管理テーブルの一例を示した図
【図５】制御部が用いるパラメータの一覧を示した図
【図６】固定向け放送を提示している場合において、制御部が移動向バッファに移動体向け放送のＰＥＳｍを一時蓄積するための手順を示したフローチャート
【図７】本発明の実施の形態におけるテレビジョン放送受信装置の要部の構成を示すブロック図
【図８】固定向け放送の提示から移動体向け放送の提示への切り替え時における処理手順の概要を示した図
【図９】固定向け放送の提示から移動体向け放送の提示へと切り替えるときの各処理の手順を示したフローチャート
【図１０】同フローチャートの続きを示すフローチャート
【図１１】同フローチャートの続きを示すフローチャート
【図１２】従来の移動体用デジタル放送受信装置のブロック図
【符号の説明】
【００７４】
２０    受信部
２１    チューナ
２２    ＯＦＤＭ復調部
３０    分離部
４１    固定向バッファ（固定向け放送用バッファ）
４２    移動向バッファ（移動体向け放送用バッファ）
４３    ＰＥＳ選択部
４９    音声バッファ
５０    映像デコーダ
５１    フレームバッファ
５３    表示データ選択部
５９    音声デコーダ
６０    提示部
９０    制御部
９１２    アンテナ
９１４    フロントエンド部
９１６    ＯＦＤＭ復調部
９１８    固定向け放送デコード部
９１９    移動体向け放送デコード部
９２０    出力部
９２２    受信状況判定部
９２６    切替制御部
９２８    デコード部
【図１】
2009005123.tif 000003
【図２】
2009005123.tif 000004
【図３】
2009005123.tif 000005
【図４】
2009005123.tif 000006
【図５】
2009005123.tif 000007
【図６】
2009005123.tif 000008
【図７】
2009005123.tif 000009
【図８】
2009005123.tif 000010
【図９】
2009005123.tif 000011
【図１０】
2009005123.tif 000012
【図１１】
2009005123.tif 000013
【図１２】
2009005123.tif 000014